(57)【特許請求の範囲】
【請求項１】
プラントで発生するアンモニアガスを処理するためのアンモニア処理装置であって、
可搬型タンクと、
前記可搬型タンクに設けられ、水の給水ラインに接続可能な給水部と、
前記可搬型タンクに設けられ、前記プラントに設けられた前記アンモニアガスのガス送給ラインに接続可能なアンモニアガス導入部と、
前記給水部を介して前記給水ラインから前記可搬型タンクに注入された前記水に対して、前記アンモニアガス導入部を介して前記ガス送給ラインから導入された前記アンモニアガスを溶解させるためのガス溶解部と、
前記可搬型タンクに設けられ、前記アンモニアガスが前記水に溶解して生成されるアンモニア水を前記プラントに送水する送水ラインに接続可能な送水部と、を備えることを特徴とするアンモニア処理装置。
【請求項２】
前記送水ラインに前記アンモニア水を圧送するためのポンプをさらに備えており、
前記ポンプは、前記アンモニア水の送水量を調節するように制御される構成としたことを特徴とする請求項１に記載のアンモニア処理装置。
【請求項３】
前記可搬型タンクに設けられ、前記プラントに設けられたアンモニア排水の排水送給ラインに接続可能なアンモニア排水導入部をさらに備え、
前記送水部は、前記可搬型タンクに貯留された前記アンモニア排水を含むアンモニア水を、前記送水ラインを介して前記プラントに送水するように構成されたことを特徴とする請求項１又は２に記載のアンモニア処理装置。
【請求項４】
前記送水ラインに前記アンモニア水を圧送するためのポンプと、
前記可搬型タンク内に貯留される前記アンモニア水の貯留量を検出するための貯留量センサと、をさらに備え、
前記貯留量センサの検出値が下限値未満となった場合、前記ポンプを停止させるように構成されたことを特徴とする請求項１乃至３の何れか一項に記載のアンモニア処理装置。
【請求項５】
前記可搬型タンクから排気する排気ラインと、
前記排気ラインに設けられ、アンモニア成分を吸着する吸着部と、
前記吸着部より下流側の前記排気ラインに設けられ、前記アンモニアガスを検出するためのアンモニアガスセンサと、をさらに備えることを特徴とする請求項１乃至４の何れか一項に記載のアンモニア処理装置。
【請求項６】
前記プラントは、発電プラントであり、
前記可搬型タンクからの前記アンモニア水は、前記発電プラントの給水系統にアンモニアを注入するための薬品注入装置又は前記発電プラントの脱硝装置の少なくとも一方に送水されることを特徴とする請求項１乃至５の何れか一項に記載のアンモニア処理装置。
【請求項７】
荷役車両のつめが挿入可能な複数の穴が側面に設けられた搬送用パレットをさらに備え、
前記可搬型タンクは、前記搬送用パレット上に設けられていることを特徴とする請求項１乃至６の何れか一項に記載のアンモニア処理装置。
【請求項８】
プラントで発生するアンモニアガスを処理するためのアンモニア処理方法であって、
水の給水ラインに可搬型タンクの給水部を接続し、前記給水部を介して前記給水ラインから前記可搬型タンクに注水するステップと、
前記プラントに設けられた前記アンモニアガスのガス送給ラインに前記可搬型タンクのアンモニアガス導入部を接続し、前記アンモニアガス導入部を介して前記ガス送給ラインから前記アンモニアガスを前記可搬型タンクに供給するステップと、
前記可搬型タンクに注入された前記水に対して、前記アンモニアガス導入部を介して前記可搬型タンクに供給した前記アンモニアガスを溶解させるステップと、
前記プラントに設けられた送水ラインに前記可搬型タンクの送水部を接続し、前記アンモニアガスが前記水に溶解して生成されるアンモニア水を前記送水ラインを介して前記プラントに送水するステップと、を備えることを特徴とするアンモニア処理方法。
【請求項９】
前記プラントに設けられたアンモニアタンクに連通する配管をパージするステップをさらに備え、
前記パージによって前記プラントから排出された前記アンモニアガスを処理することを特徴とする請求項８に記載のアンモニア処理方法。
【請求項１０】
前記可搬型タンク内における前記アンモニア水の導電率を監視するステップと、
前記導電率に基づいて、前記パージの異常を検出するステップと、をさらに備えることを特徴とする請求項９に記載のアンモニア処理方法。
【請求項１１】
前記可搬型タンク内における前記アンモニア水の導電率を監視するステップと、
前記導電率の変化率が所定範囲内になったとき、前記パージが終了したと判断するステップと、をさらに備えることを特徴とする請求項９又は１０に記載のアンモニア処理方法。
【請求項１２】
前記プラントに設けられたアンモニア排水の排水送給ラインに前記可搬型タンクのアンモニア排水導入部を接続し、前記アンモニア排水導入部を介して前記排水送給ラインから前記アンモニア排水を前記可搬型タンクに供給するステップをさらに備えることを特徴とする請求項８乃至１１の何れか一項に記載のアンモニア処理方法。
【発明の詳細な説明】
【技術分野】
【０００１】
本開示は、プラントで発生するアンモニアを処理するためのアンモニア処理装置及びアンモニア処理方法に関する。
【背景技術】
【０００２】
従来、プラントで発生するアンモニアガスは、他の廃水や工業用水に溶解され、アンモニアを含む排水として排水処理された後に放流、又は、排水規制値を超えないことを確認した後に放流されることが一般的である。
例えば、ガスタービンコンバインドサイクル発電や汽力発電等の発電プラントにおいては、アンモニアは脱硝装置や給水系統のＰＨ調整に用いられる。アンモニアの移送時やアンモニア使用機器の点検時に、揮発したアンモニアガスが回収される。この回収されたアンモニアガスは他の廃水や工業用水に溶解されて、プラントで発生した他のアンモニア排水とともに排水処理された後に放流される。
【０００３】
一例として、特許文献１には、アンモニア含有排水からアンモニアを除去する浄化装置が開示されている。この浄化装置は、アンモニアストリッピングにより排水中のアンモニアガスを分離し、アンモニアガスを触媒で酸化分解するようになっている。
【先行技術文献】
【特許文献】
【０００４】
【特許文献１】特開２００２−３３６８４３号公報
【発明の概要】
【発明が解決しようとする課題】
【０００５】
近年、環境保全の観点から排水規制の基準値が厳しくなりつつあり、またプラント事業者側における環境アセスメントへの配慮からも、アンモニアのプラント外部への流出をより一層抑制することが求められている。
一方、アンモニア排水を浄化するために、例えば特許文献１のような排水処理装置を新たに設けることは、設備コストやランニングコストの増加につながるため容易ではない。
【０００６】
上述の事情に鑑みて、本発明の少なくとも幾つかの実施形態は、簡便に且つ低コストでプラント外部へのアンモニアの流出を抑制し得るアンモニア処理装置及びアンモニア処理方法を提供することを目的とする。
【課題を解決するための手段】
【０００７】
（１）本発明の少なくとも幾つかの実施形態に係るアンモニア処理装置は、
プラントで発生するアンモニアガスを処理するためのアンモニア処理装置であって、
可搬型タンクと、
前記可搬型タンクに設けられ、水の給水ラインに接続可能な給水部と、
前記可搬型タンクに設けられ、前記プラントに設けられた前記アンモニアガスのガス送給ラインに接続可能なアンモニアガス導入部と、
前記給水部を介して前記給水ラインから前記可搬型タンクに注入された前記水に対して、前記アンモニアガス導入部を介して前記ガス送給ラインから導入された前記アンモニアガスを溶解させるためのガス溶解部と、
前記可搬型タンクに設けられ、前記アンモニアガスが前記水に溶解して生成されるアンモニア水を前記プラントに送水する送水ラインに接続可能な送水部と、を備える。
【０００８】
上記（１）の構成によれば、プラントで発生したアンモニアガスを可搬型タンク内で水に溶解させてアンモニア水を生成し、アンモニア水をプラントに送水することができる。そのため、アンモニアガスをプラントで再利用することができ、プラント外部へのアンモニア流出を抑制可能であるため、外部環境への負荷を軽減できる。さらに、アンモニアガスを再利用することにより、プラント内でのアンモニア使用量を低減できる。
また、上記（１）の構成において、可搬型タンクには、水の給水ラインに接続可能な給水部と、プラントのガス送給ラインに接続可能なアンモニアガス導入部と、プラントの送水ラインに接続可能な送水部と、が設けられている。そのため、アンモニア処理装置は自在に移動可能であり、移動先において給水部、アンモニアガス導入部および送水部をそれぞれに対応したラインに接続すれば、任意の場所においてアンモニアガスの再利用化処理が実施できる。例えば、プラント内においてアンモニア発生設備が複数存在する場合であっても、上記アンモニア処理装置を移動させてこれらのアンモニア発生設備で使用することができる。そのため、アンモニア発生設備ごとにアンモニア処理装置を設置する必要がなく、簡便に且つ低コストでアンモニアガスを処理できる。
【０００９】
（２）幾つかの実施形態では、上記（１）の構成において、
前記送水ラインに前記アンモニア水を圧送するためのポンプをさらに備えており、
前記ポンプは、前記アンモニア水の送水量を調節するように制御される構成となっている。
【００１０】
上記（２）の構成によれば、アンモニア水の送水量を調節可能なポンプを備えているので、プラント側へ所望量（モル量）のアンモニアを供給することができる。そのため、プラント側でアンモニア水にさらに水を加えるなどして適宜濃度を調整すれば、プラント内でアンモニア水を適切に再利用することができる。
また、上記ポンプを備えることにより、可搬型タンク内のアンモニア濃度に対する制限が殆どなくなる。そのため、可搬型タンク内のアンモニア濃度を厳密に管理する必要がなく、アンモニア処理の簡素化が図れる。
【００１１】
（３）幾つかの実施形態では、上記（１）又は（２）の構成において、
前記可搬型タンクに設けられ、前記プラントに設けられたアンモニア排水の排水送給ラインに接続可能なアンモニア排水導入部をさらに備え、
前記送水部は、前記可搬型タンクに貯留された前記アンモニア排水を含むアンモニア水を、前記送水ラインを介して前記プラントに送水するように構成される。
【００１２】
上記（３）の構成のように、上述したアンモニアガスに加えて、プラントで発生するアンモニア排水も受け入れ可能な構成とすることにより、プラントから外部へのアンモニア流出量をより一層抑制することができる。また、プラント内でのアンモニアの再利用率も向上できる。
なお、この構成では、アンモニア処理時、アンモニアガス及びアンモニア排水を同時に可搬型タンクに受け入れてもよいが、アンモニアガス及びアンモニア排水の同時受け入れを行わずに、両者のうち何れか一方のみを可搬型タンクに受け入れるようにしてもよい。
【００１３】
（４）幾つかの実施形態では、上記（１）乃至（３）の何れかの構成において、
前記送水ラインに前記アンモニア水を圧送するためのポンプと、
前記可搬型タンク内に貯留される前記アンモニア水の貯留量を検出するための貯留量センサと、をさらに備え、
前記貯留量センサの検出値が下限値未満となった場合、前記ポンプを停止させるように構成される。
【００１４】
上記（４）の構成によれば、アンモニア水の貯留量が下限値未満となった場合、ポンプを停止することにより、ポンプの空回りによる不具合を防止することができる。
【００１５】
（５）幾つかの実施形態では、上記（１）乃至（４）の何れかの構成において、
前記可搬型タンクから排気する排気ラインと、
前記排気ラインに設けられ、アンモニア成分を吸着する吸着部と、
前記吸着部より下流側の前記排気ラインに設けられ、前記アンモニアガスを検出するためのアンモニアガスセンサと、をさらに備える。
【００１６】
上記（５）の構成によれば、アンモニアガスセンサの検出値が上限を超えた場合、吸着部の劣化又は故障により排気中のアンモニア成分が十分に除去されず、可搬型タンクから外部へアンモニアガスが排出されている可能性がある。このような場合には、吸着部の交換等により吸着部の性能を回復させることにより、アンモニアガスが排出されることを防止でき、外部環境へ与える負荷を最小限に抑えることができる。
【００１７】
（６）幾つかの実施形態では、上記（１）乃至（５）の何れかの構成において、
前記プラントは、発電プラントであり、
前記可搬型タンクからの前記アンモニア水は、前記発電プラントの給水系統にアンモニアを注入するための薬品注入装置又は前記発電プラントの脱硝装置の少なくとも一方に送水される。
【００１８】
上記（６）の構成によれば、発電プラント内でも比較的アンモニアの使用量が多い薬品注入装置又は脱硝装置において、再利用化処理によって得られるアンモニア水を用いることによって、プラント全体のアンモニア使用量を大幅に削減することができ、環境面及びコスト面において有利である。
【００１９】
（７）幾つかの実施形態では、上記（６）の構成において、
荷役車両のつめが挿入可能な複数の穴が側面に設けられた搬送用パレットをさらに備え、
前記可搬型タンクは、前記搬送用パレット上に設けられている。
【００２０】
上記（７）の構成によれば、可搬型タンクが搬送用パレット上に設けられることにより、荷役車両によって容易に可搬型タンクを移動させることができる。
【００２１】
（８）本発明の少なくとも幾つかの実施形態に係るアンモニア処理方法は、
プラントで発生するアンモニアガスを処理するためのアンモニア処理方法であって、
水の給水ラインに可搬型タンクの給水部を接続し、前記給水部を介して前記給水ラインから前記可搬型タンクに注水するステップと、
前記プラントに設けられた前記アンモニアガスのガス送給ラインに前記可搬型タンクのアンモニアガス導入部を接続し、前記アンモニアガス導入部を介して前記ガス送給ラインから前記アンモニアガスを前記可搬型タンクに供給するステップと、
前記可搬型タンクに注入された前記水に対して、前記アンモニアガス導入部を介して前記可搬型タンクに供給した前記アンモニアガスを溶解させるステップと、
前記プラントに設けられた送水ラインに前記可搬型タンクの送水部を接続し、前記アンモニアガスが前記水に溶解して生成されるアンモニア水を前記送水ラインを介して前記プラントに送水するステップと、を備える。
【００２２】
上記（８）の方法によれば、プラントで発生したアンモニアガスを可搬型タンク内で水に溶解させてアンモニア水を生成し、アンモニア水をプラントに送水するようにしたので、アンモニアガスをプラントで再利用することができる。したがって、プラント外部へのアンモニア流出を抑制可能となり、外部環境への負荷を軽減できる。さらに、アンモニアガスを再利用することにより、プラント内でのアンモニア使用量を低減できる。
また、上記（８）の方法では、アンモニア発生設備まで可搬型タンクを移動させた後、水の給水ライン、プラントのガス送給ライン又はプラントの送水ラインを可搬型タンクに接続すれば、アンモニア発生設備においてアンモニアガスの再利用化処理が実施できる。そのため、簡便に且つ低コストでアンモニアガスを処理できる。
【００２３】
（９）幾つかの実施形態では、上記（８）の方法において、
前記プラントに設けられたアンモニアタンクに連通する配管をパージするステップをさらに備え、
前記パージによって前記プラントから排出された前記アンモニアガスを処理する。
【００２４】
例えば、アンモニア水をタンクローリーからアンモニアタンクに移動する前に、アンモニアタンクに連通する配管内のアンモニアガスが外部に流出しないように、タンクローリーとアンモニアタンクとを接続する配管を無害なガス（例えば窒素ガスのような不活性ガス）でパージする必要がある。そこでパージによって配管から押し出されたアンモニアガスを回収し、上記（８）の方法によって処理することにより、プラント外部へのアンモニア流出をより一層抑制可能となり、外部環境への負荷を軽減できる。
【００２５】
（１０）幾つかの実施形態では、上記（９）の方法において、
前記可搬型タンク内における前記アンモニア水の導電率を監視するステップと、
前記導電率に基づいて、前記パージの異常を検出するステップと、をさらに備える。
【００２６】
上記（１０）の方法によれば、パージにより配管から排出されるアンモニアガスのおおよその量は推定できるため、可搬型タンク内のアンモニア水の導電率が、配管から排出される推定量のアンモニアガスが溶解したときのアンモニア水の導電率に満たない場合、パージに異常（例えばパージされたアンモニアガスの外部への漏出）が発生したと判断できる。これにより、パージの異常を迅速に検出することができる。
【００２７】
（１１）幾つかの実施形態では、上記（９）又は（１０）の方法において、
前記可搬型タンク内における前記アンモニア水の導電率を監視するステップと、
前記導電率の変化率が所定範囲内になったとき、前記パージが終了したと判断するステップと、をさらに備える。
【００２８】
上記（１１）の方法によれば、パージにより配管から大部分のアンモニアガスが排出されたら、アンモニアガスの溶解量が減少していき、導電率の変化率が小さくなる。そのため、導電率の変化率が所定範囲内になったとき、パージが終了したと判断することができる。これにより、パージの終了を容易に判断することができる。
【００２９】
（１２）幾つかの実施形態では、上記（８）乃至（１１）の何れかの方法において、
前記プラントに設けられたアンモニア排水の排水送給ラインに前記可搬型タンクのアンモニア排水導入部を接続し、前記アンモニア排水導入部を介して前記排水送給ラインから前記アンモニア排水を前記可搬型タンクに供給するステップをさらに備える。
【００３０】
上記（１２）の方法によれば、上述したアンモニアガスに加えて、プラントで発生するアンモニア排水も受け入れ可能とすることにより、プラントから外部へのアンモニア流出量をより一層抑制することができる。また、プラント内でのアンモニアの再利用率も向上できる。
【発明の効果】
【００３１】
本発明の少なくとも幾つかの実施形態によれば、アンモニアガスをプラントで再利用することができ、プラント外部へのアンモニア流出を抑制可能であるため、外部環境への負荷を軽減できる。さらに、アンモニアガスを再利用することにより、プラント内でのアンモニア使用量を低減できる。
また、可搬型タンクはプラント内を自在に移動可能であり、移動場所において給水部、アンモニアガス導入部および送水部をそれぞれに対応したラインに接続すれば、その場所においてアンモニアガスの再利用化処理が実施できる。例えば、プラント内においてアンモニア発生設備が離れて複数存在する場合であっても、上記可搬型タンクを移動させてこれらのアンモニア発生設備で使用することができる。そのため、アンモニア発生設備ごとに可搬型タンクを設置する必要がなく、簡便に且つ低コストでアンモニアガスを処理できる。
【図面の簡単な説明】
【００３２】
【図１】一実施形態に係るアンモニア処理装置およびその周辺構造を示す全体構成図（アンモニアガス処理時の状態を示す図）である。
【図２】一実施形態に係るアンモニア処理装置およびその周辺構造を示す全体構成図（アンモニア排水処理時の状態を示す図）である。
【図３】一実施形態に係るアンモニア処理装置を示す全体構成図（リーク確認時の状態を示す図）である。
【図４】一実施形態に係るアンモニア処理装置をガスタービンコンバインドサイクル発電プラントに適用した例を示す図である。
【図５】アンモニア濃度と導電率の関係を示すグラフである。
【発明を実施するための形態】
【００３３】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００３４】
最初に、図１及び図２を参照して、幾つかの実施形態に係るアンモニア処理装置１の全体構成について説明する。なお、図１及び図２は何れも一実施形態に係るアンモニア処理装置１およびその周辺構造を示す全体構成図であって、図１はアンモニアガス処理時の状態を示す図で、図２はアンモニア排水処理時の状態を示す図である。
【００３５】
図１及び図２に例示するように、幾つかの実施形態に係るアンモニア処理装置１は、プラント１００で発生するアンモニアガスを処理するための装置であって、可搬型タンク２と、給水部３と、アンモニアガス導入部４と、ガス溶解部５と、送水部６と、を備える。
【００３６】
可搬型タンク２は、移動可能な構成を有している。すなわち、可搬型タンク２は、設置される場所に固定されず、且つ、可搬型タンク２に接続されるラインが全て取り外し可能な構成となっている。この可搬型タンク２は、アンモニアガスの外部への漏出を防止するために、密閉構造であってもよい。この場合、可搬型タンク２内に充満したアンモニア含有排ガスを外部へ排出するための排気ライン１１を備えていてもよい。この排気ライン１１には、アンモニア含有排ガスに含まれるアンモニア成分を吸着するための吸着部１３が設けられていてもよい。
また、可搬型タンク２は、その下部に送水部６が接続されている場合、底面２ａが送水部６に向けて下方に傾斜していてもよい。これにより、アンモニア水を全て排出する際に、可搬型タンク２内にアンモニア水が残存することを防げる。
さらに、可搬型タンク２は、タンク内からアンモニア水が漏出した場合にそのアンモニア水を受ける防液堤２２内に設置されてもよい。
【００３７】
上述したように可搬型タンク２は、フォークリフトやトラック等の荷役車両やクレーン等の移送機構などによって移動可能な構成を含んでいてもよい。
例えば、図１及び図２に示すように、アンモニア処理装置１は、フォークリフト等の荷役車両のつめを挿入可能な複数の穴２１ａが側面に設けられた搬送用パレット２１をさらに備えており、可搬型タンク２はこの搬送用パレット２１の上に設置される。これにより、荷役車両によって容易に可搬型タンク２を移動させることができる。
【００３８】
給水部３は、可搬型タンク２に設けられ、給水ライン２００に接続可能な構成となっている。具体的には、給水部３は、給水ライン２００に接続可能な給水受入れライン３１と、給水受入れライン３１に設けられた開閉バルブ３２と、を含んでいてもよい。なお、給水ライン２００は、プラント１００に設けられているものであってもよいし、外部から水を供給するものであってもよい。
また、給水部３は、純水を供給する構成であってもよい。すなわち、純水を供給するための給水ライン２００に接続可能な構成であってもよい。この場合、可搬型タンク２で生成されたアンモニア水には不純物が含まれないため、アンモニア水をプラント１００で再利用する際により適している。
【００３９】
アンモニアガス導入部４は、可搬型タンク２に設けられ、プラント１００側に設けられたアンモニアガスのガス送給ライン１２０に接続可能な構成となっている。具体的には、アンモニアガス導入部４は、ガス送給ライン１２０に接続可能なガス受入れライン４１と、ガス受入れライン４１に設けられた開閉バルブ４２と、を含んでいてもよい。
ここで、図１に示す実施形態において、ガス送給ライン１２０はプラント１００のアンモニア発生設備１１５に接続されており、アンモニア発生設備１１５からアンモニアガスを送給するように構成されている。
なお、アンモニア発生設備１１５と可搬型タンク２とが離れている場合には、アンモニアガス導入部４は、ガス送給ライン１２０と、ガス受入れライン４１とを連結するための連結ライン（不図示）をさらに含んでいてもよい。
【００４０】
図１及び図２に戻り、ガス溶解部５は、給水部３を介して給水ライン２００から可搬型タンク２に注入された水に対して、アンモニアガス導入部４を介してガス送給ライン１２０から導入されたアンモニアガスを溶解させるように構成されている。例えば、ガス溶解部５は、散気管やイジェクタ等によって生成したアンモニアガスの気泡を可搬型タンク２内の水又はアンモニア水に供給し、アンモニアガスを溶解する構成であってもよい。
【００４１】
送水部６は、可搬型タンク２に設けられ、アンモニアガスが水に溶解して生成されるアンモニア水をプラント１００に送水する送水ライン１３０に接続可能な構成となっている。具体的には、送水部６は、送水ライン１３０に接続可能なアンモニア水送出しライン６１と、アンモニア水送出しライン６１に設けられた開閉バルブ６２と、を含んでいてもよい。
ここで、送水ライン１３０は、プラント１００のアンモニア利用設備１１０（例えば図４の薬品注入装置１０８）に接続されており、アンモニア利用設備１１０にアンモニア水を送給するように構成される。
なお、アンモニア利用設備１１０と可搬型タンク２とが離れている場合には、送水部６は、送水ライン１３０と、アンモニア水送出しライン６１とを連結するための連結ライン６３をさらに含んでいてもよい。
アンモニア利用設備１１０は、例えば、アンモニア水を一時的に貯留するアンモニアタンク１１１とアンモニア水を使用先に送る薬注ポンプ１１２とを含む。
【００４２】
上記実施形態によれば、プラント１００で発生したアンモニアガスを可搬型タンク２内で水に溶解させてアンモニア水を生成し、アンモニア水をプラント１００に送水することができる。そのため、アンモニアガスをプラント１００で再利用することができ、プラント外部へのアンモニア流出を抑制可能であるため、外部環境への負荷を軽減できる。さらに、アンモニアガスを再利用することにより、プラント１００内でのアンモニア使用量を低減できる。
また、上記実施形態において、可搬型タンク２には、給水ライン２００に接続可能な給水部３と、プラント１００のガス送給ライン１２０に接続可能なアンモニアガス導入部４と、プラント１００の送水ラインに接続可能な送水部６と、が設けられている。そのため、アンモニア処理装置１は自在に移動可能であり、移動先において給水部３、アンモニアガス導入部４および送水部６をそれぞれに対応したラインに接続すれば、任意の場所においてアンモニアガスの再利用化処理が実施できる。例えば、プラント１００内においてアンモニア発生設備１１５が複数存在する場合であっても、上記アンモニア処理装置１を移動させてこれらのアンモニア発生設備１１５で使用することができる。そのため、アンモニア発生設備１１５ごとにアンモニア処理装置１を設置する必要がなく、簡便に且つ低コストでアンモニアガスを処理できる。
【００４３】
図１及び図２に例示する実施形態において、アンモニア処理装置１は、送水ライン１３０にアンモニア水を圧送するためのポンプ７をさらに備えている。このポンプ７は、アンモニア利用設備１１０へのアンモニア水の送水量を調節するように制御される構成となっている。この場合、ポンプ７は、可搬型タンク２内に生成されたアンモニア水の濃度に応じて、アンモニア水の送水量を調節するように制御される構成であってもよい。例えば、ポンプ７は、アンモニア水送出しライン６１に設けられ、回転数が制御されることによってアンモニア水の送水量を調節するようになっている。ポンプ７は、可搬型タンク２と共にパレット２１内に設置されてもよい。
なお、ポンプ７は、正転逆転式のポンプであってもよい。例えば、アンモニア利用設備１１０の点検時や異常発生時に、アンモニア利用設備１１０のアンモニアタンク１１１からアンモニア水を排出する場合、正転逆転式のポンプ７を逆回転で駆動し、送水ライン１３０及び送水部６を介してアンモニア利用設備１１０から可搬型タンク２にアンモニア水を送るようにしてもよい。
【００４４】
上記構成によれば、アンモニア水の送水量を調節可能なポンプ７を備えているので、プラント１００側へ所望量（モル量）のアンモニアを供給することができる。そのため、ポンプ７で送られてきたアンモニア水に対して、プラント１００側でさらに水を加えたり、プラント１００側の薬注ポンプ１１２によりアンモニア水流量を調節したりすることによって、アンモニア水使用先（例えば図４の給水系統１０９や脱硝装置１０４）へ供給するアンモニア水濃度を厳密に管理し、プラント１００内でアンモニア水を適切に再利用することができる。
また、上記ポンプ７を備えることにより、可搬型タンク２内のアンモニア濃度に対する制限が殆どなくなる。そのため、可搬型タンク２内のアンモニア濃度を厳密に管理する必要がなく、アンモニア処理の簡素化が図れる。
【００４５】
図２に例示する実施形態において、アンモニア処理装置１は、可搬型タンク２に設けられ、アンモニア利用設備１１０の排水送給ライン１４０に接続可能なアンモニア排水導入部８をさらに備えている。具体的には、アンモニア排水導入部８は、排水送給ライン１４０に接続可能なアンモニア排水受入れライン８１と、アンモニア排水受入れライン８１に設けられた開閉バルブ８２と、を含んでいてもよい。また、アンモニア利用設備１１０は、タンク１１１からアンモニア水使用先にアンモニア水を供給するアンモニア水供給ライン１４５に設けられたバルブ１４６と、タンク１１１から可搬型タンク２にアンモニア水を送給する排水送給ライン１４０に設けられたバルブ１４１と、を備えている。
【００４６】
この構成において、アンモニア利用設備１１０のタンク１１１内のアンモニア水を排水するとき、まず、バルブ１４６を閉じて、アンモニア水供給ライン１４５によるタンク１１１からアンモニア水使用先へのアンモニア水の供給を停止する。その後、バルブ１４１を開いて、排水送給ライン１４０によるタンク１１１からアンモニア処理装置１へのアンモニア水の送給を行う。
なお、アンモニア利用設備１１０と可搬型タンク２とが離れている場合には、アンモニア排水導入部８は、排水送給ライン１４０とアンモニア排水受入れライン８１とを連結するための連結ライン８３をさらに含んでいてもよい。
【００４７】
図１及び図２に例示する一実施形態において、アンモニア利用設備１１０が、アンモニアタンク１１１及び薬注ポンプ１１２を含む場合、アンモニア水使用先（例えば図４の給水系統１０９や脱硝装置１０４）へ供給されるアンモニア水濃度は、アンモニア処理装置１のポンプ７と、アンモニア利用設備１１０の薬注ポンプ１１２と、によって調節されるようにしてもよい。この場合、アンモニア処理装置１のポンプ７によって大まかな濃度調節を行い、アンモニア利用設備１１０の薬注ポンプ１１２によって、アンモニア水使用先に応じた厳密な濃度調節を行う。これにより、アンモニア利用設備１１０において、適切にアンモニア水を再利用することができる。
【００４８】
他の実施形態では、アンモニア水利用設備１１０が、アンモニアタンク１１１及び薬注ポンプ１１２を含む場合、アンモニア水使用先（例えば図４の給水系統１０９や脱硝装置１０４）へ供給されるアンモニア水濃度は、アンモニア利用設備１１０の薬注ポンプ１１２のみによって調節されるようにしてもよい。この場合、アンモニア処理装置１のポンプ７は、単に可搬型タンク２からアンモニアタンク１１１にアンモニア水を圧送するために用いられる。この構成によれば、アンモニア処理装置１のポンプ７の精密な制御が不要となる。
【００４９】
また、図１及び図２においては、アンモニア処理装置１の各ラインをそれぞれ別に設けた実施形態について説明しているが、少なくとも何れかのラインが他のラインを兼ねていてもよい。例えば、給水受入れライン３１とアンモニア排水受入れライン８１とが同じラインであってもよい。すなわち、給水受入れライン３１として用いる場合にはこのラインを給水ライン２００に接続し、アンモニア排水受入れライン８１として用いる場合には排水送給ライン１４０に接続する。
【００５０】
上記構成のように、上述したアンモニアガスに加えて、プラント１００で発生するアンモニア排水も受け入れ可能な構成とすることにより、プラント１００から外部へのアンモニア流出量をより一層抑制することができる。また、プラント１００内でのアンモニアの再利用率も向上できる。
なお、この構成では、アンモニア処理時、アンモニアガス及びアンモニア排水を同時に可搬型タンク２に受け入れてもよいが、アンモニアガス及びアンモニア排水の同時受け入れを行わずに、両者のうち何れか一方のみを可搬型タンク２に受け入れるようにしてもよい。
【００５１】
図１及び図２に例示する実施形態において、アンモニア処理装置１は、アンモニア処理装置１の各部位の制御を行うための制御部１８をさらに備えていてもよい。
制御部１８は、各バルブ３２，４２，６２の制御、ポンプ７の制御、又は、ガス溶解部５の制御の少なくとも一つの制御を行うように構成される。
また、アンモニア処理装置１は、可搬型タンク２内におけるアンモニア水の導電率を監視するための導電率センサ１５をさらに備えていてもよい。
【００５２】
図１及び図２に例示する実施形態において、アンモニア処理装置１は、可搬型タンク２内に貯留されるアンモニア水の貯留量を検出するための貯留量センサ１６をさらに備えていてもよい。また、アンモニア処理装置１は、貯留量センサ１６の検出値が下限値未満となった場合、ポンプ７を停止させるように構成される。
例えば、貯留量センサ１６は、可搬型タンク２内のアンモニア水が下限値未満となったことを検出するレベルスイッチであってもよい。この場合、レベルスイッチ（貯留量センサ１６）によって、可搬型タンク２内のアンモニア水が予め設定された下限値未満であることが検出されたとき、制御部１８がポンプ７を停止する制御を行うようになっている。
あるいは、貯留量センサ１６は、液面の高さを数値的に検出する液面計であってもよい。この場合、液面計（貯留量センサ１６）によって、可搬型タンク２内のアンモニア水の液面高さが検出されたとき、制御部１８は、この液面高さが予め設定された下限値と比較し、この液面高さが下限値未満である場合にポンプ７を停止する制御を行うようになっている。
この構成によれば、アンモニア水の貯留量が下限値未満となった場合、ポンプ７を停止することにより、ポンプ７の空回りによる不具合を防止することができる。
【００５３】
また、貯留量センサ１６は、可搬型タンク２内のアンモニア水の上限値を検出するように構成されてもよい。アンモニア処理装置１がアンモニア排水を受け入れている状態において、アンモニア処理装置１は、貯留量センサ１６の検出値が上限値以上となった場合、アンモニア排水受入れライン８１のバルブ８２を閉じ、可搬型タンク２へのアンモニア排水の受け入れを停止してもよい。あるいは、アンモニア処理装置１がアンモニアガスを受け入れている状態において、アンモニア処理装置１は、貯留量センサ１６の検出値が上限値以上となった場合、ガス受入れライン４１のバルブ４２を閉じ、可搬型タンク２へのアンモニアガスの受け入れを停止してもよい。さらに、可搬型タンク２内へ給水されている状態においては、給水受入れライン３１のバルブ３２を閉じて、給水を停止してもよい。
【００５４】
図１及び図２に例示する実施形態において、アンモニア処理装置１は、可搬型タンク２の周囲におけるアンモニアガスを検出するためのアンモニアガスセンサ１４をさらに備えていてもよい。
また、上述したように、アンモニア処理装置１は、可搬型タンク２内からアンモニアガスを外部へ排出するための排気ライン１１と、この排気ライン１１に設けられ、アンモニアガスセンサ１４よりも上流側に設けられた吸着部１３と、を備えている。
この構成において、可搬型タンク２内に充満したアンモニア含有排ガスは、適宜、排気ライン１１から外部へ排出される。排気ライン１１では、吸着部１３においてアンモニア含有排ガス中のアンモニア成分が除去される。
アンモニア含有排ガスの排出に際して、アンモニアガスセンサ１４の検出値が上限を超えた場合、吸着部１３の劣化又は故障により排気中のアンモニア成分が十分に除去されていないと判断される。このような場合には、吸着部１３の交換等によって吸着部１３の性能を回復させることにより、アンモニアガスが排出されることを防止でき、外部環境へ与える負荷を最小限に抑えることができる。
【００５５】
図３は、一実施形態に係るアンモニア処理装置１を示す全体構成図（リーク確認時の状態を示す図）である。
図３に例示するように、上述したアンモニア処理装置１は、外部にアンモニアガスが漏出しないように、リークを確認可能な構成となっていてもよい。
例えば、アンモニアガスのリーク確認時、アンモニア排水受入れライン８１と、アンモニア水送出しライン６１とを連結ライン９で接続し、ポンプ７を起動して循環運転を行う。これにより、アンモニア排水受入れライン８１又はアンモニア水送出しライン６１のリークを確認することができる。
【００５６】
図４は、幾つかの実施形態に係るアンモニア処理装置１の適用対象の一例であるガスタービンコンバインドサイクル発電プラント１０１の構成を示す図である。
図４に例示するように幾つかの実施形態では、プラント１００は発電プラント１０１であり、アンモニア処理装置１で生成された可搬型タンク２（図１、図２参照）内のアンモニア水は、発電プラント１０１の給水系統１０９にアンモニアを注入するための薬品注入装置１０８又は発電プラント１０１の脱硝装置１０４の少なくとも一方に送水される。なお、薬品注入装置１０８においてアンモニア水は、発電プラント１０１の給水系統１０９にて循環する給水をＰＨ調整するために用いられてもよい。また、脱硝装置１０４においてアンモニア水は、排ガス中に窒素を還元するための還元剤として用いられてもよい。
【００５７】
このように、発電プラント１０１内でも比較的アンモニアの使用量が多い薬品注入装置１０８又は脱硝装置において、再利用化処理によって得られるアンモニア水を用いることによって、プラント全体のアンモニア使用量を大幅に削減することができ、環境面及びコスト面において有利である。
【００５８】
なお、発電プラント１０１において、アンモニア処理装置１で処理すべきアンモニアガスが発生するアンモニア発生設備１１５（図１、図２参照）及びその状況を以下に示す。
例えば、発電プラント１０１に設けられたアンモニアタンク１０８ａに連通する配管１０８ｂを不活性ガスによりパージする際、配管１０８ｂからアンモニアガスが押し出されて、被処理ガスであるアンモニアガスが発生する。
あるいは、アンモニア利用設備１１０（図１、図２参照）である脱硝装置１０４や薬品注入装置１０８の点検時、脱硝装置１０４や薬品注入装置１０８のアンモニアタンク内に残留するアンモニアガスの排出によって、被処理ガスであるアンモニアガスが発生する。
このようにして発生するアンモニアガスを、上述したアンモニア処理装置１にて再利用化処理することができる。
【００５９】
また、アンモニア処理装置１で処理すべきアンモニア排水が発生するアンモニア発生設備１１５（図１、図２参照）及びその状況を以下に示す。
例えば、アンモニア利用設備１１０（図１、図２参照）である脱硝装置１０４や薬品注入装置１０８の点検時、脱硝装置１０４や薬品注入装置１０８のアンモニアタンク１０８ａ内に残留するアンモニア排水の排出によって、被処理水であるアンモニア排水が発生する。
あるいは、給水系統１０９からのブロー排水の排出によって、被処理水であるアンモニア排水が発生する。
このようにして発生するアンモニア排水を、上述したアンモニア処理装置１にて再利用化処理することができる。
なお、アンモニア利用設備１１０とアンモニア発生設備１１５とは、同一であってもよい。
【００６０】
ここで、図４に示すガスタービンコンバインドサイクル発電プラント１０１にアンモニア処理装置１を適用する場合について具体的に説明する。但し、本実施形態に係るアンモニア処理装置１が適用されるプラント１００は、図４に示すガスタービンコンバインドサイクル発電プラント１０１に限定されるものではなく、汽力発電等の他のタイプの発電プラントや化学プラントなどにも適用できる。
【００６１】
図４に示す実施形態において、ガスタービンコンバインドサイクル発電プラント１０１は、燃焼器で発生させた燃焼ガスにより駆動されるガスタービン１０２と、ガスタービン１０２からの排ガスを用いて蒸気を生成するボイラ（廃熱回収ボイラ）１０３と、廃熱回収ボイラで生成された蒸気により駆動される蒸気タービン１０５と、蒸気タービン１０５からの蒸気を凝縮させる復水器１０６と、ガスタービン１０２及び蒸気タービン１０５によって駆動される発電機１０７と、を備える。また、ガスタービンコンバインドサイクル発電プラント１０１は、復水器１０６から廃熱回収ボイラ１０３に給水を送る給水系統１０９をさらに備えている。
【００６２】
さらにまた、ガスタービンコンバインドサイクル発電プラント１０１は、給水系統１０９にアンモニアを注入するための薬品注入装置１０８と、ボイラ１０３を通る排ガス中に窒素の還元剤としてのアンモニアを注入する脱硝装置１０４と、を備えている。
【００６３】
例えば、薬品注入装置１０８のアンモニアタンク１０８ａにアンモニアを補充する場合、タンクローリー２１０とアンモニアタンク１０８ａとの間を配管１０８ｂで接続し、タンクローリー２１０からアンモニアタンク１０８ａにアンモニア水を移送する。その際、アンモニア水は揮発性が高いため、アンモニアタンク１０８ａ内には残存したアンモニア水から揮発したアンモニアガスが充満していることがある。この場合、タンクローリー２１０とアンモニアタンク１０８ａとの間を配管１０８ｂで接続するとき、アンモニアガスが外部へ漏出する可能性があるため、アンモニア水を移送する前に配管１０８ｂ内を不活性ガス（例えば窒素ガス）でパージする必要がある。このパージにより配管１０８ｂから押し出されたアンモニアガスを回収し、上述したアンモニア処理装置１で処理する。
【００６４】
あるいは、薬品注入装置１０８又は脱硝装置１０４の点検時、薬品注入装置１０８のアンモニアタンク１０８ａ又は脱硝装置１０４のアンモニアタンクから排出されるアンモニア排水を、上述したアンモニア処理装置１で処理する。
なお、アンモニアガス又はアンモニア排水は、一旦別のタンクに回収された後、アンモニア処理装置１において処理されるようにしてもよい。
【００６５】
次に、図１及び図２を適宜参照して、アンモニア処理方法について説明する。
幾つかの実施形態に係るアンモニア処理方法は、可搬型タンク２に注水する給水ステップと、アンモニアガスを可搬型タンク２に供給するアンモニアガス供給ステップと、アンモニアガスを溶解させるアンモニアガス溶解ステップと、アンモニア水をプラント１００に送水する送水ステップと、を備える。
【００６６】
給水ステップは、給水ライン２００に可搬型タンク２の給水部３を接続し、給水部３を介して給水ラインから可搬型タンク２に注水する。この給水ステップでは、可搬型タンク２に純水を供給してもよい。
アンモニアガス供給ステップは、プラント１００に設けられたアンモニアガスのガス送給ライン１２０に可搬型タンク２のアンモニアガス導入部４を接続し、アンモニアガス導入部４を介してガス送給ライン１２０からアンモニアガスを可搬型タンク２に供給する。
可搬型タンク２に注入された水に対して、アンモニアガス導入部４を介して可搬型タンク２に供給したアンモニアガスを溶解させるステップと、
アンモニアガス溶解ステップは、プラント１００に設けられた送水ライン１３０に可搬型タンク２の送水部６を接続し、アンモニアガスが水に溶解して生成されるアンモニア水を、送水ライン１３０を介してプラント１００に送水するステップと、を備える。
【００６７】
また、上記アンモニア処理方法は、プラント１００に設けられたアンモニア排水の排水送給ライン１４０に可搬型タンク２のアンモニア排水導入部８を接続し、アンモニア排水導入部８を介して排水送給ライン１４０からアンモニア排水を可搬型タンク２に供給するステップをさらに備えていてもよい。
【００６８】
上記方法によれば、プラント１００で発生したアンモニアガスを可搬型タンク２内で水に溶解させてアンモニア水を生成し、アンモニア水をプラント１００に送水するようにしたので、アンモニアガスをプラント１００で再利用することができる。したがって、プラント１００外部へのアンモニア流出を抑制可能となり、外部環境への負荷を軽減できる。さらに、アンモニアガスを再利用することにより、プラント１００内でのアンモニア使用量を低減できる。
また、上記方法では、アンモニア発生設備１１５まで可搬型タンク２を移動させた後、給水ライン２００、プラント１００のガス送給ライン１２０又はプラント１００の送水ライン１３０を可搬型タンク２に接続すれば、アンモニアガス発生設備１１５においてアンモニアガスの再利用化処理が実施できる。そのため、簡便に且つ低コストでアンモニアガスを処理できる。
さらに、プラント１００で発生するアンモニア排水も受け入れ可能とすることにより、プラント１００から外部へのアンモニア流出量をより一層抑制することができる。また、プラント１００内でのアンモニアの再利用率も向上できる。
【００６９】
上記アンモニア処理方法は、プラント１００に設けられたアンモニアタンクに連通する配管をパージするステップをさらに備えていてもよい。この場合、アンモニア処理方法では、パージによってプラント１００から排出されたアンモニアガスを処理する。
例えば図３に示すように、アンモニア水をタンクローリー２１０からアンモニアタンク１０８ａに移動する前に、アンモニアタンク１０８ａに連通する配管１０８ｂ内のアンモニアガスが外部に流出しないように、タンクローリー２１０とアンモニアタンク１０８ａとを接続する配管１０８ｂを無害なガス（例えば窒素ガスのような不活性ガス）でパージする必要がある。そこでパージによって配管１０８ｂから押し出されたアンモニアガスを回収し、上記方法によって処理することにより、プラント１００外部へのアンモニア流出をより一層抑制可能となり、外部環境への負荷を軽減できる。
【００７０】
上記方法において、給水ステップにおける水（例えば純水）の注水量は、パージにより回収されたアンモニアガスの可搬型タンク２への送給量と、薬品注入装置１０８（図４参照）のアンモニア濃度と、から算出してもよい。すなわち、アンモニアガスの送給量をａ［Ｌ］（標準状態）とし、薬品注入装置のアンモニア濃度をｂ［％］としたａ場合、水の注水量Ｐ［Ｌ］は以下のように算出できる。
【００７１】
アンモニア濃度ｂ［％］のＰ［Ｌ］中のアンモニア量は、可搬型タンク２へのアンモニアガスの送給量（重量換算）に等しいので、以下の式（１）が成立する。
Ｐ［Ｌ］×１０００［ｇ/Ｌ］×ｂ/１００＝１７/２２．４ａ［ｇ］    …（１）
したがって、水の注水量Ｐ［Ｌ］は、以下の式（２）により求められる。
Ｐ［Ｌ］＝１７ａ／２２４ｂ［Ｌ］                              …（２）
このように、可搬型タンク２内への注水量を算出することによって、適切なアンモニア濃度のアンモニア水を生成することができる。
【００７２】
上述したように、本発明の少なくとも幾つかの実施形態によれば、アンモニアガスをプラント１００で再利用することができ、プラント外部へのアンモニア流出を抑制可能であるため、外部環境への負荷を軽減できる。さらに、アンモニアガスを再利用することにより、プラント１００内でのアンモニア使用量を低減できる。
また、可搬型タンク２はプラント１００内を自在に移動可能であり、移動場所において給水部３、アンモニアガス導入部４および送水部６をそれぞれに対応したラインに接続すれば、その場所においてアンモニアガスの再利用化処理が実施できる。例えば、プラント１００内においてアンモニア発生設備１１５が離れて複数存在する場合であっても、上記可搬型タンク２を移動させてこれらのアンモニア発生設備１１５で使用することができる。そのため、アンモニア発生設備１１５ごとに可搬型タンク２を設置する必要がなく、簡便に且つ低コストでアンモニアガスを処理できる。
【００７３】
また、上記アンモニア処理方法は、可搬型タンク２内におけるアンモニア水の導電率を監視するステップと、導電率に基づいて、パージの異常を検出するステップと、をさらに備えていてもよい。
この方法によれば、パージにより配管１０８ｂから排出されるアンモニアガスのおおよその量は推定できるため、可搬型タンク２内のアンモニア水の導電率が、配管から排出される推定量のアンモニアガスが溶解したときのアンモニア水の導電率に満たない場合、パージに異常（例えばパージされたアンモニアガスの外部への漏出）が発生したと判断できる。これにより、パージの異常を迅速に検出することができる。導電率は、図１及び図２に示す導電率センサ１５により検出してもよい。
【００７４】
さらに、上記アンモニア処理方法は、可搬型タンク２内におけるアンモニア水の導電率を監視するステップと、導電率の変化率が所定範囲内になったとき、パージが終了したと判断するステップと、をさらに備えていてもよい。
この方法によれば、パージにより配管から大部分のアンモニアガスが排出されたら、アンモニアガスの溶解量が減少していき、導電率の変化率が小さくなる。そのため、導電率の変化率が所定範囲内になったとき、パージが終了したと判断することができる。これにより、パージの終了を容易に判断することができる。
【００７５】
図５に、アンモニア濃度［％］と導電率［μＳ／ｃｍ］との関係を示す。
例えば、薬品注入装置１０８に供給するためのアンモニア濃度１％のアンモニア水を生成する場合、まず上述した算出方法により可搬型タンク２への注水量を算出する。具体的には、推定される配管１０８ｂ内の容積に基づいて、可搬型タンク２へのアンモニアガスの送給量（重量換算）を算出する。そして、上記式（２）に基づいて、アンモニア濃度１％となるような可搬型タンク２への注水量を算出する。
この注水量とアンモニアガスとを可搬型タンク２内に導入し、アンモニアガスを水に溶解させる。この際、導電率センサ１５によって、可搬型タンク２内のアンモニア水の導電率を検出する。アンモニアガスが水に溶解し始めると、アンモニア濃度の上昇に伴って、導電率センサ１５で検出される導電率も上昇していく。アンモニアガスを溶解させ続けると、可搬型タンク２内のアンモニア水の濃度がさらに上昇していき、図５に示すアンモニア濃度１％に相当する導電率７２５μＳ／ｃｍになったとき、パージが終了したと判断することができる。
【００７６】
本発明は上述した実施形態に限定されることはなく、上述した実施形態に変形を加えた形態や、これらの形態を適宜組み合わせた形態も含む。
【００７７】
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「含む」、又は、「有する」という表現は、他の構成要素の存在を除外する排他的な表現ではない。
【符号の説明】
【００７８】
１        アンモニア処理装置
２        可搬型タンク
３        給水部
４        アンモニアガス導入部
５        ガス溶解部
６        送水部
７        ポンプ
８        アンモニア排水導入部
１１      排気ライン
１３      吸着部
１４      アンモニアガスセンサ
１５      導電率センサ
１６      貯留量センサ
１８      制御部
２１      パレット
２２      防液堤
３１      水受入れライン
４１      ガス受入れライン
６１      アンモニア水送出しライン
８１      アンモニア排水受入れライン
１００    プラント
１０１    ガスタービンコンバインドサイクル発電プラント
１０４    脱硝装置
１０８    薬品注入装置
１０８ａ  アンモニアタンク
１０８ｂ  配管
１０９    給水系統
１１０    アンモニア利用設備
１１１    アンモニアタンク
１１５    アンモニア発生設備
１２０    ガス送給ライン
１３０    送水ライン
１４０    排水送給ライン
２００    給水ライン
【図１】
0006571549.tif 000002
【図２】
0006571549.tif 000003
【図３】
0006571549.tif 000004
【図４】
0006571549.tif 000005
【図５】
0006571549.tif 000006